(57)【特許請求の範囲】
【請求項１】
カップ状の形状で、頂部には２次コイルの高圧端側が接続された突部が形成され、コイルケースに設けたターミナル装着孔に装着される高圧ターミナルと、
前記高圧ターミナルの前記頂部に形成された前記突部を通す穴が形成され、該穴に前記高圧ターミナルの前記突部を通すように、前記高圧ターミナルに被せられ、かつ前記ターミナル装着孔と前記高圧ターミナルとの間に介在される導電性弾性材よりなるキャップとからなり、
前記コイルケース内にポッティング樹脂を注入し硬化されていることを特徴とする内燃機関用点火コイル。
【請求項２】
前記高圧ターミナルの外周面と前記キャップの内周面には、雌雄の関係で嵌合する突部と凹部とを設けたことを特徴とする請求項１記載の内燃機関用点火コイル。
【発明の詳細な説明】
【０００１】
【産業上の利用分野】
本発明は、特に高圧ターミナルをコイルケースにアウトサートする内燃機関用点火コイル（以下単に点火コイルという）に関する。
【０００２】
【従来の技術】
２次コイルに接続した高圧ターミナルａをコイルケースｂに設けたターミナル装着孔ｃに装着するとともに、コイルケースｂ内にポッティング樹脂ｄを注入し硬化させる点火コイルは、図７に示すように高圧ターミナルａの外周に嵌着したＯリングｅにより、注入されるポッティング樹脂ｄがターミナル装着孔ｃから漏れるのをシールしていた。しかしながら、上記構成の点火コイルでは、２次コイルに発生する高電圧がディストリビュータのロータやスパークプラグの電極で飛火する際に点火ノイズが発生すると、高圧ターミナルが点火ノイズのアンテナの機能を生じて他の電装品に電波雑音を及ぼしてしまうという問題点がある。
【０００３】
また、特開平２−２０７５１２号には、２次コイル側の導電性針状体を高圧ターミナル側に設けられるゴム製軟質導電体に突き刺すことにより、電波雑音を防止することができる構成が開示されている。しかしながら、この構成ではディストリビュータのロータやスパークプラグの電極で飛火する際に点火ノイズが発生すると、高圧ターミナルが点火ノイズのアンテナの機能を生じて他の電装品へ電装雑音を及ぼしてしまう。
【０００４】
【発明が解決しようとする課題】
本発明は上記問題点を解決するためになされたもので、注入されるポッティング樹脂がターミナル装着孔から漏れるのをシールするとともに、電波雑音防止効果を高めることができる点火コイルを提供することを目的とする。
【０００５】
【課題を解決するための手段】
上記目的を達成するため請求項１記載の本発明の点火コイルは、カップ状の形状で、頂部には２次コイルの高圧端側が接続された突部が形成され、コイルケースに設けたターミナル装着孔に装着される高圧ターミナルと、前記高圧ターミナルの前記頂部に形成された前記突部を通す穴が形成され、該穴に前記高圧ターミナルの前記突部を通すように、前記高圧ターミナルに被せられ、かつ前記ターミナル装着孔と前記高圧ターミナルとの間に介在される導電性弾性材よりなるキャップとからなり、前記コイルケース内にポッティング樹脂を注入し硬化されていることを特徴とする。
【０００６】
また、上記目的を達成するため請求項２記載の本発明の点火コイルは、請求項１記載の構成において前記高圧ターミナルの外周面と前記キャップの内周面には、雌雄の関係で嵌合する突部と凹部とを設けたことを特徴とする。
【０００７】
【作用及び発明の効果】
請求項１記載の本発明の点火コイルによれば、導電性弾性材により形成したキャップをカップ状の形状で、頂部に２次コイルが接続された突部を有する高圧ターミナルに被せて、ターミナル装着孔に装着する。従って、ターミナル装着孔と高圧ターミナル間に導電性弾性材が介在して、注入されるポッティング樹脂が漏れるのを防ぐシール性が高まるとともに、高圧ターミナルを覆うキャップが点火ノイズを反射・吸収するシールド効果を発揮し、外部に及ぼす電波雑音を低減でき点火コイルの電波雑音防止効果を高める効果がある。
【０００８】
また、請求項２記載の本発明の点火コイルによれば、高圧ターミナルにキャップを被せると、雌雄の関係となる突部と凹部が嵌合する。従って、ターミナル装着孔と高圧ターミナル間のシール性が一層高まるとともに、高圧ターミナルとキャップとの被着性が向上して、ターミナル装着孔への装着の際、キャップの端からまくれ上がることがなくスムーズに装着できる効果がある。
【０００９】
【実施例】
本発明の実施例を添付図面を参照して説明する。図１に本発明に係る点火コイル１を示す。一端方を開放した絶縁性樹脂からなるコイルケース２には、円筒形の高圧ターミナル装着部３が射出成形により一体に成形されている。高圧ターミナル装着部３には、高圧ターミナル装着孔４が貫通状に形成されている。高圧ターミナル装着孔４は、略中間に縮径段部５を設けるとともに、該縮径段部５から先端方に向かっては徐々に孔径を広げた形状に形成されている。コイルケース２内には、１次コイル６を巻装したコイルボビン７の外周に２次コイル８を巻装したコイルボビン９を嵌着して形成したワインディング部１０が装入されている。
【００１０】
１次コイル６の両端は、それぞれコネクタ１１に設けた２本のターミナル１２，１３に半田付け等で接続されている。また、２次コイル８の両端のうち低圧側は、コネクタ１１のターミナル１２，１３のうちバッテリに接続される側に半田付けされる。そして、高圧側は高圧ターミナル１４に接続される。図３（ａ）に示すように、アルミニウムや真ちゅう等の金属製の高圧ターミナル１４は、ハイテンションコード（図示せず）の雄ターミナルを挿嵌する凹部１４ａを設けたカップ状の形状で、外周に２本平行な嵌合環溝１５が形成されている。また、高圧ターミナル１４の頂部には、２次コイル８の高圧側端を巻回して半田付けする巻回用突部１６が形成されている。
【００１１】
上記高圧ターミナル１４には、図３（ｂ）に示すような導電性ゴムからなるキャップ１７を被せる。該キャツプ１７は、高圧ターミナル１４の外観に略一致する形状に形成されるとともに、高圧ターミナル１４の巻回用突部１６を通す穴１８と、内周に嵌合環溝１５に嵌合する２本の断面略半円形の突条１９が形成されるとともに、外周には１本の断面略半円形の突条３２が形成されている。キャツプ１７を被せた高圧ターミナル１４には、２次コイル８の高圧側端を巻回して半田付けして接続した後、高圧ターミナル装着孔４の縮径段部５まで押し込んで装着する。このとき、キャップ１７の外周の突条３２が、ターミナル装着孔４の内周に圧着される。その後、コイルケース２内にエポキシ樹脂等の熱硬化性のポッティング樹脂２０を注入・充填して、加熱硬化させて点火コイル１を一体化させる。そして、２個のコの字形のコア２１を１次コイル６のコイルボビン７の中心孔７ａの両側からに圧入して固定する。
【００１２】
上記構成の点火コイル１は、ターミナル装着孔４と高圧ターミナル１４間にキャツプ１７が挟持され、突条３２とターミナル装着孔４嵌合された状態となってシール性が高まるとともに、キャツプ１７の内周の突条１９が高圧ターミナル１４の嵌合環溝１５に嵌合しているから、高圧ターミナル１４とキャップ１７との被着性が向上してターミナル装着孔４への装着の際、キャップ１７の端からまくれ上がることがなく容易に装着できる。また、キャップ１７の外周の突条３２が、ターミナル装着孔４の内周に圧着されているから、注入するポッティング樹脂２０がターミナル装着孔４と高圧ターミナル１４間から漏れることがない。
【００１３】
また、キャップ１７は導電性ゴムにより形成しているが、導電性ゴムはカーボンブラックや金属紛等を配合し、その配合次第で所望の抵抗値をもたせることができ、点火ノイズを反射・吸収するシールド効果を発揮できる。そして、キャップ１７の材質としては、ＥＰＤＭ，ＮＢＲ等の各種合成ゴム、天然ゴムの他にポリエチレン、ポリプロレン、ＡＢＳ樹脂、その他の軟質樹脂に、所定量のカーボンブラックや金属紛等を配合して導電性をもたせたものを用いることができる。キャップ１７は、成形後高圧ターミナル１４に組付けてもよく、或いは高圧ターミナル１４と一体成形してもよい。
【００１４】
高圧ターミナル１４の外周に設ける嵌合環溝１５は、上記実施例のように２本に限られるものではなく、３本以上であってもよい。また、図４（ａ）に示すように螺旋状の嵌合溝２５としてもよい。この場合、キャツプ１７の内周には、図４（ｂ）に示すように、該嵌合溝２５と雌雄の関係となる螺旋状の突条２９を形成する。これにより、高圧ターミナル１４へのキャツプ１７の被着がねじ込みにより容易に行うことができる。
また、キャップ１７の外周の突条３２は必ずしも設ける必要はなく、この場合はキャップ１７の外周と高圧ターミナル装着孔４とで、注入されるポッティング樹脂２０をシールする。
【００１５】
さらに、図５に示すようにキャップ１７の口縁に、高圧ターミナル１４の凹部１４ａの縁部を覆うとともに、ターミナル装着孔４の縮径段部５に当接する内向きのフランジ３０を形成して、ターミナル装着孔４への装着の際、キャップ１７の端からまくれ上がることを防止してもよい。
尚、上記の高圧ターミナル１４及びキャツプ１７は、図６に示す２個の高圧ターミナルを有する同時点火タイプの点火コイル３１に適用できることは勿論である。
【図面の簡単な説明】
【図１】点火コイルの斜視図である。
【図２】点火コイルの断面図である。
【図３】高圧ターミナルとキャツプの断面図である。
【図４】他の高圧ターミナルとキャツプの断面図である。
【図５】キャツプの変形例を示す一部切欠側面図である。
【図６】同時点火タイプの点火コイルの斜視図である。
【図７】従来例を説明する要部の断面図である。
【符号の説明】
１，３１  点火コイル
２  コイルケース
４  ターミナル装着孔
８  ２次コイル
１４  高圧ターミナル
１５  嵌合環溝（凹部）
１７  キャツプ
１９  突条（突部）
２０  ポッティング樹脂
２５  螺旋状の嵌合溝（凹部）
２９  螺旋状の突条（突部）
【図１】
0003588830.tif 000002
【図２】
0003588830.tif 000003
【図３】
0003588830.tif 000004
【図４】
0003588830.tif 000005
【図５】
0003588830.tif 000006
【図６】
0003588830.tif 000007
【図７】
0003588830.tif 000008